(57)【要約】      （修正有）【課題】従来の筒状のペン立ては、形状の異なるペンやハサミなどの文房具の持つ固有の形状に対し空間を提供するに過ぎず垂直にホールド出来ないため筒の上で拡がり不安定であった。文具の重心が高い場合はペン立て自身が軽く、倒れやすい構造となる。従来の剣山型ペン立ては土台と支持棒との取付間隔より大きい文房具を挿入したとき土台板まで届かず不安定であった。この問題を解決するもので様々な形状のペンやハサミなどの文房具を倒れにくく一定の方向に揃え収納できるスタンドを提供する。【解決手段】所定の長さを持つ支柱が台座の上に２本以上あり支柱間は所定の間隔を有し各支柱は所定の深さの切れ込みが複数あるスタンド又は各支柱の切込みが底面まで達し分断された状態でもそれぞれを重ね合わせて止め具を使用しバラバラにならないように構成したスタンド。【選択図】図１
2012143950.tif 000002
【特許請求の範囲】
【請求項１】
所定の長さを持つ支柱が台座の上に２本以上あり、支柱と支柱の間は所定の間隔を有し、各支柱は所定の深さの切れ込みが複数あるスタンド
【請求項２】
各支柱の切れ込みが底面まで達し分断された状態でも、それぞれを重ね合わせて止め具を使用しバラバラにならないように構成したスタンド
【請求項３】
対象物の保持性を高めるために支柱上部を幅広く支柱下部を狭くした形状の請求項１または２のスタンド
【請求項４】
材質がゴムやエラストマー、軟質樹脂など弾性体を使用した請求項１または２のスタンド
【発明の詳細な説明】
【技術分野】
【０００１】
本発明は、特定の形状を有する弾性体の板を貼り合わせた合板構造で、例えば傘立てやぺン立てのように長いものを立ててホールドするスタンドに関するものである。
【背景技術】
【０００２】
従来のペン立ては、底面を有する筒状の形状が一般的であった。または支持棒と土台板の組合せ構造で重心が低く抜き差しが容易な剣山型ペン立てがあった。
【先行技術文献】
【特許文献】
【０００３】
【特許文献１】特開２００８−１４９６９３号公報（段落０００３に記載）
【発明の概要】
【発明が解決しようとする課題】
【０００４】
しかしながら従来の筒状のペン立ては、形状の異なるペンやハサミなどの文房具それぞれの持つ固有の形状に対して空間を提供しているに過ぎず、垂直にホールド出来ないために筒の上で拡がり、不安定であった。文具の重心が高い場合にはペン立て自身が軽く、倒れやすい構造となっていた。
また、特許文献１に記載の剣山型ペン立ては土台と支持棒との取付け間隔より大きい文房具を挿入したときに土台板まで届かずに不安定であった。
【０００５】
本発明は、このような従来の問題を解決しようとするもので、様々な形状のペンやハサミなどの文房具を倒れにくく一定の方向に揃えて収納できるスタンドを提供することを目的とする。本発明は柔軟性を有し一定の重さのある弾性体の板を合板のように貼り合わせて構成したスタンドである。
【課題を解決するための手段】
【０００６】
本発明は所定の長さを持つ支柱が台座の上に２本以上あり、支柱と支柱の間は所定の間隔を有し、各支柱は所定の深さの切り込みが複数あるスタンドを提供することにより上記課題を解決したものである
【０００７】
また各支柱の切れ込みが底面まで達し分断された状態でも、それぞれを重ね合わせて止め具
を使用しバラバラにならないように構成したものである。
【０００８】
また、対象物の保持性を高めるために支柱上部を幅広く支柱下部を狭くした形状のものである。
【０００９】
また材質がゴムやエラストマー、軟質樹脂など弾性体を使用したものである。
【発明の効果】
【００１０】
本発明は、このような従来の問題を解決しようとするもので、様々な形状の対象物をホールド出来、スタンドの上で拡がらず、対象物の向きを垂直に揃えて安定した状態で収納出来るスタンドである。また本発明は支柱の溝幅を大きくとれるので対象物が支柱の根本まで深く挿入でき、安定した状態での収納が可能である。
【図面の簡単な説明】
【００１１】
【図１】スタンド式ペン立ての組立斜視図
【図２】図１のＡ−Ａ断面図
【図３】スタンド式ペン立ての側面図
【図４】スタンド式ペン立ての正面図
【図５】図３のＢ−Ｂ断面図
【図６】スタンド式ペン立ての上面図
【図７】図６のＣ−Ｃ断面図
【図８】スタンド式ペン立て（チャンネル固定式）の側面図
【図９】図８のＤ−Ｄ断面図
【図１０】スタンド式ペン立て（レール固定式）の正面図
【図１１】図１０のＥ−Ｅ断面図
【図１２】支柱が２本の場合の正面図
【図１３】支柱が２本の場合の側面図
【図１４】丸型支柱形状の正面図
【発明を実施するための形態】
【００１２】
本発明は、長いものを立てて保持するスタンドである。この本発明のスタンドについてペン立てを実施例として図面に基づき説明する。
【００１３】
実施例１として図１で説明する。図１はスタンド式ペン立ての組立てた状態で、弾性体の板１を重ね合わせてシャフト９（図２に記載）で固定しシャフトカバー１０を被せた状態の斜視図である。
【００１４】
図２は図１のスタンド式ペン立てのＡ−Ａ方向にカットした状態の断面図である。弾性体の板の支柱２，３，４を揃えて重ね合わせて孔部１２にシャフト９を通してシャフト９の両端にビス１１を通すことで弾性体の板１が外れないように固定している。ビス１１にはキャップ１０を被せている。
【００１５】
図３は図１のスタンド式ペン立てに鉛筆１３を立てた状態の側面図である。
【００１６】
図４は弾性体の板１の正面図である。台座５から支柱２，３，４が上に突き出した形状になっている。台座５は幅広く低重心になっている。根本６，７，８は左右に倒れやすいように細くなっている。支柱２，３，４は左右に倒れても接触しにくいように隙間がある。弾性体の板１はゴムやエラストマーで出来ている。
【００１７】
図５は図３のＢ−Ｂ断面図である。鉛筆１３を支柱２と支柱３の間に挿入したところの図である。鉛筆１３の挿入された力によって支柱２は根本６よりＤの方向に傾き（押し曲げられ）、また支柱３は根本７よりＥの方向に傾く。これにより隙間が出来、挿入される弾性力によって鉛筆１３が変形した支柱２，３の変形方向に倒れないように保持される。
【００１８】
図６は図１の上面図である。鉛筆１３の大きさに合わせてつくられた空間は支柱２，３が重ねあわされているため変形しない状態でＧとＦ方向の倒れも防止する。
【００１９】
図７は図６のＣ−Ｃ断面図である。鉛筆１３を挿入した状態で溝底部１４に鉛筆１３が止まった状態を示している。
【００２０】
本発明の構造はスタンド式ペン立てのみでなく、傘立てや歯ブラシ立て、工具類などにも応用が可能である。
【００２１】
図８は弾性体の板１の重ね合わせた台座全体をチャンネル１５で覆い固定した状態の側面図である。これによりシャフト９を使用しなくても弾性体の板１を重ね合わせて固定することが出来る。図９は図８のＤ−Ｄ断面図である。
【００２２】
図１０は弾性体の板１の台座部５に空洞部１６を設けレール１７を使用して弾性体の板１を重ね合わせて固定する方法を示した正面図である。図１１は図１０のＥ−Ｅ断面図である。
【００２３】
シャフトやチャネル、レールなどを使わずに弾性体の板の台座部５をお互いに接着して重ね合わせスタンドを作ることも可能である。
【００２４】
実施例２として図１２で説明する。図１２は支柱２２、支柱２３が２本の場合のスタンドの正面図である。弾性体のブロック２１には台座２４があり、台座２４の上に支柱２２と支柱２３がある。支柱２２と支柱２３の間には所定の間隔Ｗがある。
【００２５】
図１３は図１２の側面図であり切り込み２８の長さをＬ１で表している。所定の長さＬ１の切り込みが少なくとも２本以上ある構造のスタンドである。
【００２６】
スタンドの断面形状は図１４のような形状でも良い。
【符号の説明】
【００２７】
１    弾性体の板
２    弾性体の板の支柱
３    弾性体の板の支柱
４    弾性体の板の支柱
５    弾性体の板の台座部
６    弾性体の板のつけね部
７    弾性体の板のつけね部
８    弾性体の板のつけね部
９    シャフト
１０  シャフトカバー
１１  ビス
１２  弾性体の孔部
１３  鉛筆
１４  溝底部
１５  チャンネル
１６  空洞
１７  レール
２１  弾性体のブロック
２２  弾性体のブロックの支柱
２３  弾性体のブロックの支柱
２４  弾性体のブロックの台座部
２５  弾性体のブロックの底面
２６  弾性体のブロックの切り込み
２７  弾性体のブロックの切り込み
２８  弾性体のブロックの切り込み
Ｄ    矢印
Ｅ    矢印
Ｆ    矢印
Ｇ    矢印
【図１１】
2012143950.tif 000003
【図１】
2012143950.tif 000004
【図２】
2012143950.tif 000005
【図３】
2012143950.tif 000006
【図４】
2012143950.tif 000007
【図５】
2012143950.tif 000008
【図６】
2012143950.tif 000009
【図７】
2012143950.tif 000010
【図８】
2012143950.tif 000011
【図９】
2012143950.tif 000012
【図１０】
2012143950.tif 000013
【図１２】
2012143950.tif 000014
【図１３】
2012143950.tif 000015
【図１４】
2012143950.tif 000016